(57)【要約】【課題】球抜き用の樋が省略されたパチンコ遊技機を提供する。【解決手段】前枠扉６に、遊技者が操作できる球抜きボタン１８を配設すると共に、球抜きボタン１８の押圧操作により左方へ進出移動する上皿球抜きスライダ７７を取り付けた。また、整流器テコ３４が内在する整流器筐体４１内には、前記上皿球抜きスライダ７７と係合して連動する整流器球抜きスライダ９０を設けた。さらに、整流器筐体４１の下面に、下受け皿１３と上下方向で一致する球抜き口８３を形成した。そして、球抜き時に、球抜き口８３から遊技球がそのまま直接落下させて下受け皿１３に流入させる構成とした。【選択図】図６
2007275471.tif 000002
【特許請求の範囲】
【請求項１】
外枠内に枢設された本体枠と、
本体枠に装着され、所定の発射位置で弾発された遊技球が放出される遊技領域が前面に形成された遊技盤と、
本体枠の前面に軸支されて開閉する前枠扉と、
前枠扉の前面に配設された上受け皿と、
前枠扉の直下で本体枠前面に配設された下受け皿と、
本体枠内に設けられ、遊技球を前記発射位置に送球する球送り部と、
上受け皿内の遊技球を球送り部に誘導する球整列路と、
球送り部及び球整列路が内在し、かつ遊技球が通過可能な球抜き口が開口されてなる整流器筐体と、
整流器筐体内に配置され、一端が球整列路に連通し、他端が球抜き口に連通する球抜き誘導路と、
球整列路内の遊技球を球抜き誘導路を介して球抜き口から整流器筐体の外に流出させ、該遊技球を下受け皿へ投入する球抜き手段と
を備えたパチンコ遊技機において、
球抜き手段は、
前枠扉に位置変換可能に配設された球抜き操作部と、
前枠扉に配設され、球抜き操作部の操作に連動して左右方向に進退する第一進退部材と、球整列路と球抜き誘導路とが連通する位置に形成された連通口に配置され、第一進退部材と係合して該第一進退部材の進退動作に連動し、左右方向に進退する第二進退部材とを備え、
球抜き操作部が一側に操作されて第一進退部材が進出動作することにより、第二進退部材が前記連通口を開放する位置に退避し、
球抜き操作部が他側に操作されて第一進退部材が退避動作することにより、第二進退部材が前記連通口を遮閉する位置に進出するものであると共に、
前記した整流器筐体の球抜き口を当該整流器筐体の下面に形成し、かつ下受け皿と上下方向で一致させ、前記連通口の開放状態で球整列路内の遊技球を球抜き口から流出させて下受け皿に直接落下するようにしたものであることを特徴とするパチンコ遊技機。
【請求項２】
球抜き手段の第二進退部材は、
板片状の球止め板部を備え、
第一進退部材の進出動作により、球止め板部が、球整列路と球抜き誘導路とが連通する位置に形成される連通口から退避して球整列路と球抜き誘導路とを開通し、
第一進退部材の退避動作により、球止め板部が前記連通口を遮閉するものであることを特徴とする請求項１記載のパチンコ遊技機。
【発明の詳細な説明】
【技術分野】
【０００１】
本発明は、遊技球を遊技領域へ打ち出して遊技するパチンコ遊技機に関するものであり、特に上受け皿の遊技球を下受け皿に流入させる球抜き機構に関する。
【背景技術】
【０００２】
従来のパチンコ遊技機２００にあっては、図１８に示されるように、遊技島に固設される矩形状の外枠２０１と、外枠２０１に枢設された本体枠２０２を備えている。また、本体枠２０２の前面には、前枠扉２０３が開閉可能に枢支されており、この前枠扉２０３の前面に遊技球が貯留される上受け皿２０６が配設されている。また、遮閉された前枠扉２０３の後方位置には、遊技盤２０４が本体枠２０２に対して装着されている。また、前枠扉２０３の直下で本体枠２０２の前面には、下受け皿２０７が配設されている。さらに、本体枠２０２内には、発射機構板２０８が配設されており、この発射機構板２０８の前面に、箱型の整流器筐体２０９が開閉可能に配設されている。また、この整流器筐体２０９内には、遊技球を発射位置へ送球する整流器テコ２１３が回動可能に軸支されている。また、一端が上受け皿２０６に、他端が整流器テコ２１３にそれぞれ連通した球整列路２１１が当該整流器筐体２０９内に配設されている。これにより、上受け皿２０６内の遊技球が球整列路２１１を介して整流器テコ２１３に案内される。
【０００３】
次に、上受け皿２０６の遊技球を下受け皿２０７へ流下させる従来構成（いわゆる、球抜きのための構成）について図１８に従って説明する。
整流器筐体２０９の左側面には、遊技球が通過可能な球抜き口２１２が開口されている。また、整流器筐体２０９内には、球整列路２１１と球抜き口２１２とに連通する球抜き誘導路２１７が形成されている。さらに、球整列路２１１と球抜き誘導路２１７とが連通する位置に形成された連通口２１８には、当該連通口２１８を遮閉する状態（図１９ａ参照）又は開放する状態（図１９ｂ参照）とする整流器球抜きスライダ２２０が配設されている。また、整流器筐体２０９の外部であって前記球抜き口２１２の開口位置には、球抜き樋２１４が配設されている。この球抜き樋２１４は、図１８，１９に示されるように、整流器筐体２０９の背面側へ折曲されてなり、他端が下受け皿２０７に開口した皿誘導樋２１５に接続されて鉛直方向に配置されている。
【０００４】
かかる構成にあって、前枠扉２０３の前面に配設された球抜きボタン（図示省略）を遊技者が押圧操作すると、整流器球抜きスライダ２２０が連通口２１８を開放状態とし（図１９ｂ参照）、これにより、球整列路２１１内の遊技球が球抜き誘導路２１７に流入し、球抜き誘導路２１７の下端に配された球抜き口２１２から遊技球が整流器筐体２０９外へ排出される。そして、当該遊技球は、球抜き樋２１４を通過した後、皿誘導樋２１５内を走行して下受け皿２０７内へ排出される。このように、従来のパチンコ遊技機では、球抜き樋２１４が整流器筐体２０９に取り付けられて、遊技球が円滑に下受け皿２０７に排出される構成となっている（例えば、特許文献１参照。）。
【０００５】
【特許文献１】特開２００１−１１２９４１号公報
【発明の開示】
【発明が解決しようとする課題】
【０００６】
しかしながら、近年、パチンコ遊技機の内部構造は複雑化し、上述のように遊技球を所定位置に案内するための樋が本体枠内で迂回しながら配設され、遊技球の走行距離が長くなって球詰りの発生率が高まっていた。したがって、このような樋の配設構造を簡略化し、球詰りの問題を解決できる構成が強く求められている。また、上述のように、球抜き樋は整流器筐体の後方に配設されているため、当該球抜き樋を本体枠内に適正に収容しようとすると、本体枠が厚肉化してしまい、省スペース化を図るためにパチンコ遊技機を薄肉化することには不向きであった。
【０００７】
そこで本発明は、特に、球抜きのための通路を簡略化することができるパチンコ遊技機を提供することを目的とするものである。
【課題を解決するための手段】
【０００８】
本発明は、外枠内に枢設された本体枠と、本体枠に装着され、所定の発射位置で弾発された遊技球が放出される遊技領域が前面に形成された遊技盤と、本体枠の前面に軸支されて開閉する前枠扉と、前枠扉の前面に配設された上受け皿と、前枠扉の直下で本体枠前面に配設された下受け皿と、本体枠内に設けられ、遊技球を前記発射位置に送球する球送り部と、上受け皿内の遊技球を球送り部に誘導する球整列路と、球送り部及び球整列路が内在し、かつ遊技球が通過可能な球抜き口が開口されてなる整流器筐体と、整流器筐体内に配置され、一端が球整列路に連通し、他端が球抜き口に連通する球抜き誘導路と、球整列路内の遊技球を球抜き誘導路を介して球抜き口から整流器筐体の外に流出させ、該遊技球を下受け皿へ投入する球抜き手段とを備えたパチンコ遊技機において、球抜き手段は、前枠扉に位置変換可能に配設された球抜き操作部と、前枠扉に配設され、球抜き操作部の操作に連動して左右方向に進退する第一進退部材と、球整列路と球抜き誘導路とが連通する位置に形成された連通口に配置され、第一進退部材と係合して該第一進退部材の進退動作に連動し、左右方向に進退する第二進退部材とを備え、球抜き操作部が一側に操作されて第一進退部材が進出動作することにより、第二進退部材が前記連通口を開放する位置に退避し、球抜き操作部が他側に操作されて第一進退部材が退避動作することにより、第二進退部材が前記連通口を遮閉する位置に進出するものであると共に、前記した整流器筐体の球抜き口を当該整流器筐体の下面に形成し、かつ下受け皿と上下方向で一致させ、前記連通口の開放状態で球整列路内の遊技球を球抜き口から流出させて下受け皿に直接落下するようにしたものであることを特徴とするパチンコ遊技機である。
【０００９】
かかる構成にあって、整流器筐体の球抜き口をその下面に配置すると共に、該球抜き口を下受け皿の直上に配して球抜き口と下受け皿とを鉛直方向で一致させることにより、球抜き口から流出した遊技球を下受け皿内にそのまま直接落下させて球抜きすることが可能となる。このように、遊技球を直接落下させて下受け皿内に流入させることが可能となると、球抜き口に接続されて遊技球を下方に案内するための樋が、一切不要となる。また、上述のように、当該球抜き口を整流器筐体の下面に形成することにより、当該整流器筐体の肉厚内で遊技球を適正に下受け皿に投入させることができる。したがって、これに伴い本体枠の肉厚を従来構成に比して薄肉化することができる。
【００１０】
ところで、従来にあっては、第一進退部材と第二進退部材とが共に本体枠に配設されてなる構成があった。かかる場合は、第一進退部材と第二進退部材とが前後に配置される位置関係となる。一方、本発明にあっては、第一進退部材を前枠扉に配設したため、当該第一進退部材の肉厚分だけ第二進退部材を前方に配置することが可能となる。これに伴い、整流器筐体も本体枠において相対的に前方へ配置可能となり、該整流筐体を本体枠に固設された下受け皿の直上に位置させることが可能となる。なお、本発明は、球抜き口から遊技球を自然落下させて下受け皿に流入させる構成であるため、下受け皿の底面における球落下時の衝撃や遊技球の跳ね返りを可及的に小さくすべく、整流器筐体は下受け皿に近接して配設する構成が好ましい。そうすると、これに伴って整流器筐体に内在する球送り部も下受け皿に近接することとなるため、球整列路を介して連通する上受け皿も下方に偏位して配設可能となる。このように、上受け皿が従来構成に比して下方に偏位して配設可能となると、相対的に遊技領域が拡大されることとなり、当該遊技領域でダイナミックな遊技を展開することが可能となる。
【００１１】
また、球抜き手段の第二進退部材は、板片状の球止め板部を備え、第一進退部材の進出動作により、球止め板部が、球整列路と球抜き誘導路とが連通する位置に形成される連通口から退避して球整列路と球抜き誘導路とを開通し、第一進退部材の退避動作により、球止め板部が前記連通口を遮閉する構成が提案される。
【００１２】
かかる構成にあって、球止め板部が球抜き口を遮閉する状態では、該球止め板部が球整列路内の一面を部分的に構成することとなり、球整列路内の遊技球は、球抜き口を通過できず、球送り部方向に案内される。一方、球抜き口が開放された状態にあっては、球整列路内をその自重によって一列状に流下する遊技球が当該球抜き口を通過可能となり、球抜き口を介して球整列路の外へ排出されることとなる。
【発明の効果】
【００１３】
本発明に係るパチンコ遊技機は、整流器筐体の球抜き口を当該整流器筐体の下面に形成し、かつ下受け皿と上下方向で一致させて、該球抜き口から遊技球を下受け皿に直接落下させる構成としたため、球抜き口に、遊技球を案内するための樋を別途接続する必要が無い。したがって、部品点数を減らせることができると共に、整流器筐体周辺の省スペース化が図れる効果がある。さらに、整流器筐体の肉厚内で遊技球を適正に下受け皿に投入させることができるため、整流器筐体周辺の省スペース化が図れ、本体枠を薄肉化することができる効果がある。
【００１４】
また、第二進退部材の球止め板部が、連通口から退避して球整列路と球抜き誘導路とを開通し、又は当該連通口を遮閉する構成とした場合は、球整列路内をその自重によって一列状に流下する遊技球を好適に球送り部又は球抜き口に誘導することが可能となる。
【発明を実施するための最良の形態】
【００１５】
本実施例におけるパチンコ遊技機１は、図１，２に示されるように、遊技島（図示省略）に起立状に固設される長方形状の外枠２と、この外枠２の前面開口部分を覆う遊技機本体３とで構成され、これらが左端にあるヒンジ部材４を介して開閉可能に枢着されている。
【００１６】
前記遊技機本体３は、板状の本体枠５（図２参照）を備え、この本体枠５が前記ヒンジ部材４を介して外枠２内に枢着されている。さらに、本体枠５の前方には、前枠扉６が開閉可能に配設されている。具体的には、前枠扉６の左側縁がヒンジ部材１０を介して本体枠５に枢着されている。
【００１７】
また、前枠扉６の中央には、ほぼ円形の開口部８が設けられていると共に、この開口部８には透明板１１が裏面から装着されている。また、図１に示されるように、前枠扉６の前面であって、その最下位置には、遊技球が貯留可能な上受け皿１２が配設されている。また、上受け皿１２の湾曲した上縁の右端には、後述する球抜きボタン１８が押圧操作可能に配設されている。なお、この球抜きボタン１８により、本発明に係る球抜き操作部が構成される。
【００１８】
また、前枠扉６の直下には、下受け皿パネル１９が配設されている。そしてこの下受け皿パネル１９の前面中央に、遊技球が貯留可能な下受け皿１３が設けられている。また、下受け皿１３の右横には、回動操作可能な発射レバー１５を備えた発射ハンドル１４が突設されている。
【００１９】
図２に示されるように、本体枠５の中央には、ほぼ矩形状の遊技盤７が脱着可能に配設されている。さらに、この遊技盤７前面には、遊技盤７の下方位置を起点として案内レール部材２０が湾曲状に配設されている。そして、この案内レール部材２０により区画形成された中央の円形領域を、遊技領域２１としている。この遊技領域２１は、発射ハンドル１４の操作により遊技球が放出されて遊技球が転動すると共に、液晶表示器等で構成される図柄表示装置２２、始動口２３、各種遊技部材、及び遊技釘等が様々に配設されている。かかる構成にあって、前枠扉６が本体枠５に対して遮閉されると（図１参照）、遊技者は、透明板１１を介して遊技盤７の遊技領域２１を視認できる。なお、上受け皿１２からオーバーフローした遊技球については、図１４に示されるように、下受け皿１３に接続された上下方向の皿誘導樋８８によって下受け皿１３に回収される。
【００２０】
また、図２に示されるように、本体枠５の下部であって遊技領域２１の直下には、横長の下部領域９が形成されており、この下部領域９に、発射機構部３０及び整流器３５等が配設されている。一方、前枠扉６の裏面（図８等参照）であって、その遮閉時に本体枠５の下部領域９と対面する部位には、球抜き機構部４０の主要部が配設されている。以下、各構成について順次説明する。
【００２１】
まず、発射機構部３０について説明する。
図３〜５に示されるように、発射機構部３０は、本体枠５の下部領域９に配設される発射機構板３１を備えている。そして、図５に示されるように、この発射機構板３１の前面であってそのほぼ中央には、杆状の発射鎚５１が支軸５２を中心に軸支されている。具体的には、支軸５２より下方に先端の打圧部５３が左向きに配置される態様で取り付けられている。また、発射機構板３１の裏面には、そのローター軸（図示省略）が前記支軸５２と連繋している発射ソレノイド５５が配設されている。この発射ソレノイド５５は、発射ハンドル１４の発射レバー１５とも連繋しており、遊技者によって発射レバー１５が回動操作されると作動し、ローター軸に固定された発射鎚５１が支軸５２を中心に発射機構板３１前面に沿って往復回動する構成となっている。
【００２２】
また、発射機構板３１の前面には、発射レール部材２４が左方に上方傾斜する態様で固設されている。そして、この発射レール部材２４の下端近傍位置には、正面視ほぼ五角形状の発射待機球位置決め部材５６が固着されており、これにより遊技球の発射位置Ｐが位置規定されている。かかる構成にあって、発射鎚５１が、発射位置Ｐに打圧部５３が位置する打圧位置、又は発射位置Ｐに対して打圧部５３が退避する退避位置に繰返し位置変換されると、発射位置Ｐに順次送球された遊技球が順次弾発されて、発射レール部材２４上を走行する。
【００２３】
次に、発射位置Ｐに遊技球を送球する整流器３５について説明する。
図３，５に示されるように、発射鎚５１の前方には、整流器３５が配設されている。この整流器３５は、上受け皿１２内の遊技球を前記発射位置Ｐに順次送球すると共に、前記球抜きボタン１８操作時において、前枠扉６等にある球抜き機構部４０と連動して上受け皿１２内の遊技球を下受け皿１３へ排出するものである。
【００２４】
さらに詳述すると、整流器３５は、大きさと形状が異なる三つの略直方体状の箱体が左右方向に連結されてなる整流器筐体４１を備えている。この箱型の整流器筐体４１は、発射機構板３１とほぼ同じ大きさで、かつ後方へ開口していると共に、その上端面４２には、左右方向の支軸４３が突設されている。一方、発射機構板３１の上端には、左右方向に形成された軸孔４５を具備したピロー部４４が螺着されている。そして、このピロー部４４の軸孔４５に前記支軸４３が挿通されて、ピロー部４４に整流器筐体４１が上下方向に回動可能に装着されている。
【００２５】
また、整流器筐体４１の下端には、後方へ突出した可撓性の係止片７５が設けられ、図４に示されるように、整流器筐体４１遮閉時に、その先端の爪部１１６が発射機構板３１の係止孔１１８に圧入されて当該係止孔１１８の孔縁と係合する構成となっている。これにより、整流器筐体４１が発射機構板３１に対して固結されることとなる。一方、整流器筐体４１を開放するときは、係止片７５を撓ませて爪部１１６の係合を解除し、整流器筐体４１を開閉自在とする。
【００２６】
次に、遊技球の送球を制御する整流器テコ３４について詳述する。
整流器筐体４１内には、図６ａ，ｂに示されるように、整流器テコ３４が前後方向へ回動可能に軸支されている。さらに、この回動機構について詳述すると、整流器テコ３４は、回動中心となるテコ軸３７を備えると共に、このテコ軸３７が整流器筐体４１に一体成形された軸受部５７に挿通されている。また、整流器テコ３４の右側端面３４ａからはアーム連係杆５８が側方へ突出され、このアーム連係杆５８の先端に、上下方向に配置された長尺状の整流器アーム５９の下端が係合している。一方、整流器アーム５９の上端には、水平に配置された薄板状の連結部材５４の一端が接続されている。さらに、この連結部材５４の他端には、上下方向のソレノイドバネ４８と、通電を契機に駆動開始する球送りソレノイド４６の支持部４７がそれぞれ接続されている。
【００２７】
かかる構成にあって、所定の制御信号に基づいて球送りソレノイド４６が通電し、駆動開始すると、当該球送りソレノイド４６の直下にある連結部材５４がソレノイドバネ４８の付勢力に抗して上下動し、その上下動により発生した駆動力が整流器アーム５９を介して整流器テコ３４に回転力として伝達され、当該整流器テコ３４が間欠的に往復回動する。なお、このとき整流器テコ３４は、その上面に形成された湾曲凹面３８が上方に向く球受入状態（図７ａ参照）と、この湾曲凹面３８が後方（発射位置Ｐ側）に向く送球状態（図７ｂ参照）とに回動変換される。なお、前記整流器テコ３４により、本発明に係る球送り部が構成される。
【００２８】
次に、整流器テコ３４に臨む球整列路３６等について説明する。
まず図３等に示されるように、整流器筐体４１の前面中央には、上受け皿１２内の遊技球が流入する上受け皿球受入口６０が前後方向に開口している。さらに、整流器筐体４１内には、図６ａ，ｂに示されるように、一端が前記上受け皿球受入口６０に、他端が整流器テコ３４の直上にそれぞれ接続された球整列路３６が配設されている。この球整列路３６は、上受け皿１２内から流入した遊技球を整流器テコ３４の上面に誘導するものである。具体的には、整流器テコ３４よりも上受け皿球受入口６０の方が上方に配置されており、上受け皿１２内にある複数の遊技球は当該球整列路３６内をその自重により一列状に順次送り出されてくる。
【００２９】
そして、図７ａに示されるように、球整列路３６により誘導された遊技球は、前記球受入状態の整流器テコ３４に係る湾曲凹面３８内に一旦収容される。次に、そのタイミングで整流器テコ３４が前記送球状態に変換されることにより、図７ｂに示されるように、整流器テコ３４の直後方で発射レール部材２４の上にある発射位置Ｐに遊技球が適正に送球される。そして、かかる送球行程が繰返し実行されることにより、上受け皿１２内の遊技球が順次発射位置Ｐに送球され、発射鎚５１により順次打圧されることとなる。
【００３０】
さらに、図６ａ，ｂに示されるように、整流器筐体４１の左端下面には、遊技球が通過可能な球抜き口８３が形成されている。また、前記球整列路３６の下方には、一端が当該球整列路３６に連通し、他端が球抜き口８３に連通する球抜き誘導路３９が設けられている。なお、整流器筐体４１内に配置され、この球整列路３６内の遊技球を球抜き誘導路３９側へ流入させて球抜き口８３に導く機構は、球抜き機構部４０の一部を構成するものであり、本発明の要部に係るため後述する。
【００３１】
次に、前枠扉６に形成された球抜き機構部４０の主要部等について説明する。
図８に示されるように、前枠扉６の裏面であって上受け皿１２の直後方位置には、上受け皿１２内と連通し、かつ遊技球が通過可能な上受け皿球送出口６１が開口している。また、この上受け皿球送出口６１の直上には、一端が前枠扉６裏面に軸支され、ほぼ水平に保持されてなる長尺状の球止め片６２が配設されている。この球止め片６２は一端にある支軸６４を中心にして前枠扉６の裏面に沿って上下に傾動するものである。また、この球止め片６２の先端には、後述する球止め片加圧部４９（図３等参照）と当接する受圧部６７が設けられていると共に、下端が前枠扉６裏面に係止された上下方向の球止めバネ６５が前記受圧部６７の隣接位置に取り付けられている。さらに、球止め片６２のほぼ水平な下縁であって上受け皿球送出口６１の直上位置には、下方に突成されたシャッター舌片６３が設けられている。
【００３２】
かかる構成にあって、球止めバネ６５の付勢力が発生しない定常状態にあっては、図９に示されるように、球止め片６２がほぼ水平に保持され、前記シャッター舌片６３が上受け皿球送出口６１を部分的に遮閉し、当該上受け皿球送出口６１は遊技球が通過不能な不通状態となる。これに対し、図８に示されるように、球止めバネ６５の付勢力に抗して球止め片６２が支軸６４を中心に上方へ傾動すると、この上方傾動に伴いシャッター舌片６３も上方に変位し、上受け皿球送出口６１は遊技球が通過可能に開放されて球通過可能状態となる。ところで、図３等に示される整流器筐体４１の前面であって、上受け皿球受入口６０の側傍には、前方突出した側面視三角形状の球止め片加圧部４９が固着されている。この球止め片加圧部４９は、前枠扉６の遮閉状態で、前記球止め片６２の受圧部６７と当接するものである。
【００３３】
次に、前枠扉６を開放状態から遮閉状態とするまでの過程における球止め片６２の傾動変化等について説明する。
前枠扉６が開放状態にあっては、球止め片６２は、球止めバネ６５の弾縮力に従い、図９に示されるように不通状態にある。一方、前枠扉６を遮閉状態にしようとすると、まず前枠扉６の裏面と本体枠５の下部領域９とが近接し、本体枠５側の球止め片加圧部４９の斜縁６９が前枠扉６側の球止め片６２に係る受圧部６７の下縁６８に当接する。そしてさらに前枠扉６を閉め込むと、受圧部６７の下縁６８が球止め片加圧部４９の斜縁６９を上方へ倣い移動し、球止め片６２が球止めバネ６５の付勢力に抗して球止め片加圧部４９により押し上げられることとなる。そして、前枠扉６が完全に遮閉状態となって前記下縁６８が斜縁６９を登りきると、上述のようにシャッター舌片６３が上方に変位して上受け皿球送出口６１が不通状態から球通過可能状態となる。
【００３４】
ここで、前枠扉６が遮閉された状態にあっては、図１４ａに示されるように、整流器筐体４１の上受け皿球受入口６０が、前枠扉６の上受け皿球送出口６１が近接して対置し、これにより上受け皿１２内と整流器筐体４１内とが連通状態となって上受け皿１２内の遊技球が上受け皿球送出口６１と上受け皿球受入口６０とを通過して整流器筐体４１内に流入可能となる。そして、上受け皿１２内の遊技球が、整流器筐体４１内に流入し、球整列路３６を介して整流器テコ３４に誘導されることとなる。
【００３５】
一方、遮閉状態の前枠扉６を開放すると、球止め片加圧部４９に係る斜縁６９と受圧部６７の下縁６８とが離間することとなって、球止め片加圧部４９による押上げ作用が解除され、球止め片６２が球止めバネ６５の付勢力に従って下方傾動し、上受け皿球送出口６１はシャッター舌片６３により遮閉されて不通状態となる。このため、前枠扉６の開放状態で上受け皿１２内の遊技球が上受け皿球送出口６１からこぼれ落ちることが無い。
【００３６】
次に、球抜き機構部４０について説明する。
この球抜き機構部４０は、遊技者が球抜きボタン１８を押圧操作した場合に、上受け皿１２内の遊技球を下受け皿１３内に流入させるものである。なお、この球抜き機構部４０により、本発明に係る球抜き手段が構成される。
【００３７】
図８等に示されるように、球抜き機構部４０は、上述の球抜きボタン１８を備えている。この球抜きボタン１８の下端には、ボタン軸７１が前後方向に設けられており、球抜きボタン１８を押圧操作すると、図１０に示されるように、その加圧により球抜きボタン１８がボタン軸７１を中心に傾動し、その下縁が下方へ変位する構成となっている。これにより、球抜きボタン１８は、押圧位置と押圧解除位置とに変換されることとなる。
【００３８】
また、球抜きボタン１８の直下には、縦長でほぼ逆三角形状の球抜きクランク７２が起立状に配設されている。なお、この球抜きクランク７２の上面と球抜きボタン１８の下面とは接触している。また、球抜きクランク７２は、その上端であって前枠扉６における中央寄り位置に前後方向のクランク支軸７３が配設されている。また、外方寄りの側部には、一端が前枠扉６の側縁に係止されたクランクバネ７４が接続されている。そして、このクランクバネ７４の付勢力により、球抜きクランク７２は外側方へ常時付勢されている。
【００３９】
かかる構成にあって、球抜きボタン１８が遊技者により押圧されると、球抜きボタン１８の加圧により球抜きクランク７２がクランクバネ７４の付勢力に抗してクランク支軸７３を中心に傾動し、当該球抜きクランク７２の下端が前枠扉６の中央へ変位する。
【００４０】
また、この球抜きクランク７２の下端には、縦長の連結軸用長孔７８が配設されている。さらに、この連結軸用長孔７８の近傍には、平板状の基体８０と基体８０の下端から側方に突出したＬ字腕部８１とで構成される上皿球抜きスライダ７７が配置されている。この上皿球抜きスライダ７７は、左右方向にスライド可能に前枠扉６の裏面に保持されていると共に、前記球抜きクランク７２の連結軸用長孔７８内に、上皿球抜きスライダ７７の基体８０に突成された連結軸７９が挿通されている。
【００４１】
かかる構成にあって、上述のように球抜きボタン１８の操作に基づき球抜きクランク７２が傾動して下端が前枠扉６の中央へ変位すると、図１０に示されるように、連結軸用長孔７８と連結軸７９との係合により上皿球抜きスライダ７７が球抜きクランク７２によって前枠扉６の中央方向へ押し出され、図８中の矢印方向（左右方向）へ進出移動することとなる。これに対し、球抜きボタン１８の押圧操作が解除されると、クランクバネ７４の付勢力に従って、球抜きクランク７２が傾動状態から通常の起立状態となり、これに連結された上皿球抜きスライダ７７も元の位置に引き戻されて定常位置（図８参照）へ退避移動する。ここで、上皿球抜きスライダ７７のＬ字腕部８１は、後述する整流器球抜きスライダ９０に係止するものである。なお、上述のように左右方向にスライドして進退する上皿球抜きスライダ７７により、本発明に係る第一進退部材が構成される。
【００４２】
次に、整流器球抜きスライダ９０について説明する。
図３に示されるように、整流器筐体４１の上受け皿球受入口６０の直下には、左右方向に長いスライダ用長孔８５が開口している。また、上受け皿球受入口６０の左位置には、左右方向に長い支持長孔８６が開口している。さらに、スライダ用長孔８５の後方対向位置には、当該スライダ用長孔８５とほぼ同形状の支持長孔８７（図１１参照）が設けられている。
【００４３】
一方、整流器筐体４１内には、図１１，１２等に示されるような整流器球抜きスライダ９０が配置されている。この整流器球抜きスライダ９０は、薄板状でほぼ水平な球止め板部９１と、この球止め板部９１の左縁から起立してなる立設部９２とで構成され、全体として縦断面Ｌ形の構造となっている。また、球止め板部９１の前後の端面には、それぞれ横長の摺動凸部９４が突設されている。さらに、前側の端面に突設された摺動凸部９４の前面には、円柱状の受圧軸部９５が前方へ突成されている。
【００４４】
また、前記立設部９２の前面には、摺動軸部９６が突成されていると共に、側端面には、丸棒状の水平支持杆９７が水平に配設されている。そして、この水平支持杆９７にコイル状の付勢バネ９８が外嵌されて保持されている。
【００４５】
かかる構成にあって、整流器球抜きスライダ９０は、スライダ用長孔８５に受圧軸部９５が、支持長孔８７に後側の摺動凸部９４が、支持長孔８６内に摺動軸部９６がそれぞれ挿通されて、左右方向にスライド移動可能に支持されている。
【００４６】
さらに、図６ａ，ｂに示されるように、球整列路３６の左隣には振幅規制壁１０１，１０１が対設され、これら振幅規制壁１０１，１０１間に、整流器球抜きスライダ９０が上述の構成でスライド移動可能に配設されている。さらに、両振幅規制壁１０１，１０１のうち、左側の振幅規制壁１０１には、整流器球抜きスライダ９０の水平支持杆９７が挿通されるフランジ付き挿通口１０２が開口している。そして、フランジ付き挿通口１０２と、整流器球抜きスライダ９０の立設部９２の側端面との間に付勢バネ９８が配置されている。
【００４７】
かかる構成にあって、図６ｂに示されるように、整流器球抜きスライダ９０が左方にスライド移動すると、前記フランジ付き挿通口１０２に水平支持杆９７が挿通されると共に、当該フランジ付き挿通口１０２と立設部９２との間で付勢バネ９８が弾縮する。これに対し、図６ａに示されるように、整流器球抜きスライダ９０が右方にスライド移動すると、前記フランジ付き挿通口１０２から水平支持杆９７が抜脱すると共に、付勢バネ９８の弾縮が解除される。
【００４８】
また、整流器球抜きスライダ９０の球止め板部９１は、球整列路３６と球抜き誘導路３９との接続境界に形成される連通口８４に配置されており、そのスライド移動により、連通口８４を遮断する遮断状態と、連通口８４を開放する開放状態とに位置変換される。具体的には、図６ａに示されるように、整流器球抜きスライダ９０が右方向に配置されると、球止め板部９１の上面が球整列路３６の一面を構成して連通口８４が遮断状態となる。これに対し、整流器球抜きスライダ９０が左方向に配置されると、球止め板部９１が連通口８４から退避して球整列路３６と球抜き誘導路３９とが開通することとなる。なお、この整流器球抜きスライダ９０により、本発明に係る第二進退部材が構成される。
【００４９】
ここで、整流器球抜きスライダ９０のスライド制御は、上述した上皿球抜きスライダ７７を介して行われる。さらに詳述すると、図１１，１２に示されるように、上皿球抜きスライダ７７のＬ字腕部８１先端には、整流器球抜きスライダ９０の受圧軸部９５に当接する加圧凹部８２が設けられている。そして、図１３ａに示されるように、前枠扉６が遮閉状態となると、受圧軸部９５に加圧凹部８２が側方から当接する態様で係合することとなる（図１３ｂ参照）。
【００５０】
かかる構成にあって、球抜きボタン１８が押圧操作されて、上皿球抜きスライダ７７が図１０に示されるように進出移動すると、加圧凹部８２が受圧軸部９５を左方向に押し出す（図１３ｃ参照）。そうすると、この押し出し作用に従って整流器球抜きスライダ９０が左方向に退避移動し、球止め板部９１は球整列路３６と球抜き誘導路３９とを連通させることとなる。
【００５１】
なお、整流器球抜きスライダ９０は、付勢バネ９８により常時右方に付勢されており、上皿球抜きスライダ７７の加圧が解除されると、整流器球抜きスライダ９０は右方に進出移動し、球抜き誘導路３９を遮断する遮断状態となる。
【００５２】
ところで、図９に示されるように、球止め片６２の左側端部と上皿球抜きスライダ７７の上部とが近接して配置されているため、前枠扉６開放時に球抜きボタン１８を操作しようとしても、かかる開放状態では球止め片６２の左側端部と上皿球抜きスライダ７７の上部とは当接してしまうため、球抜きボタン１８は操作不能となる。
【００５３】
次に、本発明の要部である、球抜き機構部４０に係る球抜き口８３の詳細について説明する。
上述のように、整流器筐体４１に設けられた球抜き口８３は、当該整流器筐体４１の下面に形成されていると共に、図１４，１５に示されるように、下受け皿１３の鉛直上方に配置されている。したがって、連通口８４が開通して球整列路３６から球抜き誘導路３９へ移入し、該球抜き誘導路３９を通過して球抜き口８３から整流器筐体４１外に排出された遊技球は、当該球抜き口８３から直接落下して、下受け皿１３に捕捉されることとなる（図１４ｂ参照）。
【００５４】
したがって、さらに述べると、球抜きボタン１８が操作された場合には、図１４ｂに示されるように、上受け皿１２内の遊技球は、上受け皿球送出口６１及び上受け皿球受入口６０を通過し、その後、球整列路３６及び球抜き誘導路３９を通過し、球抜き口８３を介して整流器筐体４１の外に排出され、そのまま下受け皿１３に流下する。かかる構成は、機械内部に一旦迂回させてなる球抜き用の誘導樋を備えないため、このような誘導樋のメンテナンスが不要となって球詰りの発生率を低減することが可能となる。
【００５５】
ところで、上記構成は、図１６ａに示されるように、上皿球抜きスライダ７７が前枠扉６に配設され、この上皿球抜きスライダ７７と係合する整流器球抜きスライダ９０が本体枠５に対設された構成である。したがって、球抜き機構部４０の主要部が前枠扉６側に配置されることにより、本体枠５の最前位置に整流器筐体４１が配置可能となるものであり、本発明に係る構成は、本体枠５の前面に配置した下受け皿１３の直上に整流器筐体４１を配置することができる構成である。
【００５６】
一方、図１６ｂに示されるように、従来のパチンコ遊技機の一般的な構成は、球抜き機構部２１９と整流器筐体２０９とが共に本体枠２０２内に前後して配設されている。すなわち、本体枠２０２の最前位置に球抜き機構部２１９が配され、その後方に整流器筐体２０９が配されている。したがって、本発明と比較すると、整流器筐体２０９と下受け皿２０７とが離間して配されるため、整流器筐体２０９は下受け皿２０７の直上に配置することができない。
【００５７】
また、本パチンコ遊技機１にあっては、図１７ａに示されるように、上受け皿１２と下受け皿１３とを従来構成（図１６ｂ参照）に比して近接させている。これは、球抜き口８３から直接落下した遊技球が下受け皿１３の底面に衝突して大きく跳ね返ることを防止するために整流器筐体４１を可及的に下方へ配置したことによるものである。すなわち、整流器筐体４１を下方に配置すると、整流器筐体４１に内在する整流器テコ３４も従来に比して下受け皿１３に近接し、さらに整流器テコ３４に球整列路３６を介して連通する上受け皿１２も下方に偏位して配設されることとなる。このように、上受け皿１２が従来構成に比して下方に偏位して配設可能となると、相対的に整流器筐体４１の上方に配置される遊技領域２１が拡大されることとなる。これは、当該遊技領域２１を用いてダイナミックな遊技を展開することが可能となる利点がある。また、上受け皿１２と下受け皿１３とがより近接し、整流器筐体４１から遊技球を自然落下させて球抜きする構成であるため、球抜きに係る遊技球の道程が短縮され、球抜きに要する時間が短縮される利点がある。
【００５８】
なお、球抜き口８３は整流器筐体４１の下面であり、下受け皿１３の鉛直上方であれば、適宜左右方向に位置を変更することが可能である。
【００５９】
また、これまでに述べた実施形態の他に、本発明の範囲内で適宜変更することは勿論可能である。
【図面の簡単な説明】
【００６０】
【図１】パチンコ遊技機１の外観斜視図である。
【図２】前枠扉６が開放したパチンコ遊技機１の斜視図である。
【図３】整流器筐体４１等の斜視図である。
【図４】整流器筐体４１等の右側面図である。
【図５】整流器筐体４１等の分解斜視図である。
【図６】ａ）は球送り時における整流器筐体４１を示す縦断正面図であり、ｂ）は球抜き時における整流器筐体４１の縦断正面図である。
【図７】ａ）は球受入れ時における整流器テコ３４の図６Ｂ−Ｂ縦断面図であり、ｂ）は球送り時における整流器テコ３４の図６Ｂ−Ｂ縦断面図である。
【図８】前枠扉６の裏面図である。
【図９】球止め片６２が下方に傾動した状態における前枠扉６の裏面図である。
【図１０】球抜き操作された際の前枠扉６を示す裏面図である。
【図１１】上皿球抜きスライダ７７と整流器球抜きスライダ９０とを示す斜視図である。
【図１２】上皿球抜きスライダ７７と整流器球抜きスライダ９０との分解斜視図である。
【図１３】前枠扉６の遮閉過程を示す説明図である。
【図１４】ａ）は球送り時における整流器筐体４１周辺の縦断側面図であり、ｂ）は球抜き時における整流器筐体４１周辺の縦断側面図である。
【図１５】図１，２のＡ−Ａ断面図である。
【図１６】ａ）は本発明に係る整流器筐体４１を側方から観た概念図であり、ｂ）は従来構成に係る整流器筐体２０９を側方から観た概念図である。
【図１７】ａ）は本発明に係る整流器筐体４１周辺の縦断側面図であり、ｂ）は従来構成に係る整流器筐体２０９周辺の縦断側面図である。
【図１８】従来構成に係る整流器筐体２０９周辺の縦断側面図である。
【図１９】従来構成の整流器筐体２０９の縦断正面図であって、ａ）は球送り時を示し、ｂ）は球抜き時を示す。
【符号の説明】
【００６１】
１  パチンコ遊技機
２  外枠
５  本体枠
６  前枠扉
７  遊技盤
１２  上受け皿
１３  下受け皿
１８  球抜きボタン（球抜き操作部）
２１  遊技領域
３４  整流器テコ（球送り部）
３５  整流器
３６  球整列路
３９  球抜き誘導路
４０  球抜き機構部（球抜き手段）
４１  整流器筐体
７７  上皿球抜きスライダ（第一進退部材）
８３  球抜き口
８４  連通口
９０  整流器球抜きスライダ（第二進退部材）
Ｐ  発射位置
【図１】
2007275471.tif 000003
【図２】
2007275471.tif 000004
【図３】
2007275471.tif 000005
【図４】
2007275471.tif 000006
【図５】
2007275471.tif 000007
【図６】
2007275471.tif 000008
【図７】
2007275471.tif 000009
【図８】
2007275471.tif 000010
【図９】
2007275471.tif 000011
【図１０】
2007275471.tif 000012
【図１１】
2007275471.tif 000013
【図１２】
2007275471.tif 000014
【図１３】
2007275471.tif 000015
【図１４】
2007275471.tif 000016
【図１５】
2007275471.tif 000017
【図１６】
2007275471.tif 000018
【図１７】
2007275471.tif 000019
【図１８】
2007275471.tif 000020
【図１９】
2007275471.tif 000021